(57)【要約】【課題】シャッター機能、集光機能及び光量調整機能を有し、機器全体での低価格化を図る。【解決手段】光を検出することで火炎の有無を検出する火炎検出センサ１と、鏡面の中心に開口２１を有し、火炎から出た光を集光して当該開口２１を介して火炎検出器１に出力する凹面鏡２と、凹面鏡２の軸方向を光の到来方向に対して変更するように凹面鏡２を回動する回動部３とを備えた。【選択図】図１
2015184032.tif 000002
【特許請求の範囲】
【請求項１】
光を検出することで火炎の有無を検出する火炎検出センサと、
鏡面の中心に開口を有し、火炎から出た光を集光して当該開口を介して前記火炎検出センサに出力する凹面鏡と、
前記凹面鏡の軸方向を前記光の到来方向に対して変更するように前記凹面鏡を回動する回動部と
を備えた火炎検出器。
【請求項２】
前記回動部は、前記光の前記火炎検出センサへの導光と遮光とを切替える角度範囲で前記凹面鏡を回動する
ことを特徴とする請求項１記載の火炎検出器。
【請求項３】
光を検出することで火炎の有無を検出する火炎検出センサと、
火炎から出た光を集光して前記火炎検出センサに出力する集光用レンズと、
前記集光用レンズの軸方向を前記光の到来方向に対して変更するように前記集光用レンズを回動する回動部と
を備えた火炎検出器。
【請求項４】
前記回動部は、前記光の前記火炎検出センサへの導光と遮光とを切替える角度範囲で前記集光用レンズを回動する
ことを特徴とする請求項３記載の火炎検出器。
【発明の詳細な説明】
【技術分野】
【０００１】
この発明は、光を検出することで火炎の有無を検出する火炎検出器に関するものである。
【背景技術】
【０００２】
従来から、連続運転用の火炎検出器には、その健全性を定期的に確認するために、火炎検出センサへの導光と遮光とを切替えるシャッター機構が設けられている（例えば特許文献１参照）。また、火炎から出た光を火炎検出センサに集光するためのレンズが設けられている。さらに、背景光と火炎からの光とを区別するため、火炎検出センサに導光される光は適切な量に調整されている必要があり、そのための絞り機構も設けられている。
【先行技術文献】
【特許文献】
【０００３】
【特許文献１】特開２００４−３７０９２号公報
【発明の概要】
【発明が解決しようとする課題】
【０００４】
しかしながら、従来の火炎検出器では、シャッター機能、集光機能及び光量調整機能はそれぞれ別部材により実現されている。そのため、機器全体での価格が増大するという課題があった。
【０００５】
この発明は、上記のような課題を解決するためになされたもので、シャッター機能、集光機能及び光量調整機能を有し、機器全体での低価格化を図ることができる火炎検出器を提供することを目的としている。
【課題を解決するための手段】
【０００６】
この発明に係る火炎検出器は、光を検出することで火炎の有無を検出する火炎検出センサと、鏡面の中心に開口を有し、火炎から出た光を集光して当該開口を介して火炎検出センサに出力する凹面鏡と、凹面鏡の軸方向を光の到来方向に対して変更するように凹面鏡を回動する回動部とを備えたものである。
【０００７】
また、この発明に係る火炎検出器は、光を検出することで火炎の有無を検出する火炎検出センサと、火炎から出た光を集光して火炎検出センサに出力する集光用レンズと、集光用レンズの軸方向を光の到来方向に対して変更するように集光用レンズを回動する回動部とを備えたものである。
【発明の効果】
【０００８】
この発明によれば、上記のように構成したので、シャッター機能、集光機能及び光量調整機能を有し、機器全体での低価格化を図ることができる。
【図面の簡単な説明】
【０００９】
【図１】この発明の実施の形態１に係る火炎検出器の構成を示す図である（最大集光の状態）。
【図２】この発明の実施の形態１に係る火炎検出器の構成を示す図である（光量調整の状態）。
【図３】この発明の実施の形態１に係る火炎検出器の構成を示す図である（完全遮光の状態）。
【発明を実施するための形態】
【００１０】
以下、この発明の実施の形態について図面を参照しながら詳細に説明する。
実施の形態１．
図１はこの発明の実施の形態１に係る火炎検出器の構成を示す図である。
火炎検出器は、図１に示すように、火炎検出センサ１、凹面鏡２及び回動部３から構成されている。
【００１１】
火炎検出センサ１は、光を検出することで火炎の有無を検出するものである。
凹面鏡２は、鏡面の中心に開口２１を有し、火炎から出た光を集光して当該開口２１を介して火炎検出センサ１に出力するものである。
【００１２】
回動部３は、凹面鏡２の軸方向を火炎から出た光の到来方向に対して変更するように凹面鏡２を回動するものである。この回動部３は、例えば、凹面鏡２に支点を設け、当該支点にブレードを接続して、当該ブレードを押し引きすることで凹面鏡２の回動を実現することができる。なお、回動部３により凹面鏡２を回動する角度範囲は、火炎から出た光の火炎検出センサ１への導光と遮光を切替えることができる角度に設定されている。
【００１３】
次に、上記のように構成された火炎検出器の動作について、図１〜３を参照しながら説明する。
火炎から出た光を最大量で集光して火炎検出センサ１に出力する場合、図１に示すように、凹面鏡２の軸方向を上記光の到来方向に合わせる。これにより、火炎から出た光を最大量で集光することができる。
【００１４】
また、光量を調整する場合には、図２に示すように、凹面鏡２の軸方向を上記光の到来方向に対して傾ける。すなわち、凹面鏡２は指向性を有しているため、図２のように傾けることで火炎検出センサ１に出力する光量を著しく減少させることができる。なお、図２の状態では、図１の状態に対して、光量が１／１０程度に減少する。このように、凹面鏡２の軸方向を上記光の到来方向に対して傾けることで、光量調整が可能となる。
【００１５】
さらに、図３の状態まで凹面鏡２を傾けると、火炎検出センサ１への光が無くなり完全に遮断することができる。このように、凹面鏡２を図１，２の状態と図３の状態とに切替えることで、火炎検出センサ１への導光と遮光とを切替えることができる。
【００１６】
以上のように、この実施の形態１によれば、鏡面の中心に開口２１を有し、火炎から出た光を集光して当該開口２１を介して火炎検出器に出力する凹面鏡２と、凹面鏡２の軸方向を上記光の到来方向に対して変更するように凹面鏡２を回動する回動部３とを設けるように構成したので、シャッター機能、集光機能及び光量調整機能を１つの部材に集約することができ、機器全体での低価格化及び製品サイズの縮小化を図ることができる。
【００１７】
なお実施の形態１では、凹面鏡２を用いてシャッター機能、集光機能及び光量調整機能を実現する構成について示した。しかしながら、これに限るものではなく、凹面鏡２に代えて、回動部３により軸方向を火炎から出た光の到来方向に対して変更するように回動可能であり、当該光を集光して火炎検出センサ１に出力する集光用レンズ（凸レンズ）を用いるようにしてもよい。なお、回動部３により集光用レンズを回動する角度範囲は、火炎から出た光の火炎検出センサ１への導光と遮光を切替えることができる角度に設定される。ただし、集光用レンズを用いる場合には、指向性が凹面鏡２ほど高くはないため、傾ける角度を大きくする必要がある。また、集光用レンズを保持するホルダが別途必要となる。
【００１８】
また、本願発明はその発明の範囲内において、実施の形態の任意の構成要素の変形、もしくは実施の形態の任意の構成要素の省略が可能である。
【符号の説明】
【００１９】
１  火炎検出センサ
２  凹面鏡
３  回動部
２１  開口
【図１】
2015184032.tif 000003
【図２】
2015184032.tif 000004
【図３】
2015184032.tif 000005